(57)【要約】【課題】建物の外壁部に形成された開口部にサッシ枠を設置する構造において、屋内側の意匠性に優れるサッシ枠の設置構造を得る。【解決手段】建物１０の外壁部１２に形成された開口部１４には、開口部１４の下端部に沿って根太２４が延在されている。根太２４の上には、床下地材２６の屋外側端部２６Ａと、当該屋外側端部２６Ａの屋外側に配置されたサッシ枠３０のサッシ枠延長固定部４０が固定されている。サッシ枠延長固定部４０の建物上方側には、見切り材４４の見切り部が配置されている。この見切り部４６の建物下方側には、床材２８の外端部２８Ａが配置されている。床材２８の外端部２８Ａは、床下地材２６の屋外側端部２６Ａよりも屋外側に突出している。【選択図】図２
2020169499.tif 000002
【特許請求の範囲】
【請求項１】
建物の外壁部に形成された開口部の下端部に沿って延在するサッシ土台と、
前記サッシ土台の上に一端が載置された床下地材と、
前記床下地材よりも屋外側に配置されると共に前記開口部の下端部に沿って長尺に延在するサッシ枠本体部と、該サッシ枠本体部の側面から屋内側に延出され、前記床下地材の前記一端よりも屋外側において前記サッシ土台の上に固定されたサッシ枠延長固定部と、を含むサッシ枠と、
前記サッシ枠延長固定部の建物上方側で前記サッシ枠本体部の側面から屋内側に延在した見切り部を含む見切り材と、
前記床下地材の上に載置され、外端部が前記床下地材の前記一端よりも屋外側に突出すると共に前記見切り部の建物下方側に配置された床材と、
を備えるサッシ枠の設置構造。
【請求項２】
前記見切り材は、
前記見切り部と、前記見切り部の屋外側端部から建物下方側に延出され、前記サッシ枠本体部の前記側面に固定された固定部と、該固定部の下端部から屋内側に延出され、前記床材の前記外端部を下方側から支持する支持部と、を備え、
縦断面視で屋内側に開口された開口断面を有している、
請求項１に記載のサッシ枠の設置構造。
【請求項３】
前記見切り材は、前記支持部の下面から建物下方側に延出され、前記サッシ土台又は前記サッシ枠延長固定部に支持された位置決め部を含んで構成されている、
請求項２に記載のサッシ枠の設置構造。
【請求項４】
前記見切り材は、
前記サッシ土台の上面に固定された前記見切り部を備える上側部材と、
前記サッシ枠本体部の前記側面に固定された固定部と、前記固定部に一体に形成され、前記固定部の下端部から屋内側に延出されると共に前記床材の外端部を建物下方側から支持する支持部と、を備える下側部材と、
によって構成されている請求項１に記載のサッシ枠の設置構造。
【発明の詳細な説明】
【技術分野】
【０００１】
本発明は、サッシ枠の設置構造に関する。
【背景技術】
【０００２】
特許文献１には、建物の外壁部に形成された開口部の下端部に沿ってサッシ枠が固定されたサッシ枠の設置構造が開示されている。当該文献に記載された構造では、サッシを支持するサッシ枠と、サッシ枠と屋内の床パネルとの間の隙間を覆う見切り材（被覆板）が、スペーサを介して床パネルに固定されている。具体的には、床パネルの一端にサッシ枠とスペーサの一端が固定される固定段部が設けられており、固定段部の更に屋内側に、スペーサの他端を固定する段部が設けられている。
【０００３】
また、固定段部と段部を含む隙間がサッシ枠と床パネルの間に生じるため、当該隙間をスペーサの上端に固定された見切り材で覆うことにより意匠性を確保している。
【先行技術文献】
【特許文献】
【０００４】
【特許文献１】特開平１０−２０５２２２号公報
【０００５】
しかしながら、上記先行技術では、サッシ枠とスペーサの固定部を床パネルに設けた段部によって確保するため、サッシ枠と床パネルの間の隙間が拡大しやすい。そのため、この隙間を覆う見切り材が大型化し、意匠性が悪化する虞がある。よって、上記先行技術は、この点において改善の余地がある。
【発明の概要】
【発明が解決しようとする課題】
【０００６】
本発明は上記事実を考慮し、建物の外壁部に形成された開口部にサッシ枠を設置する構造において、屋内側の意匠性に優れるサッシ枠の設置構造を得ることが目的である。
【課題を解決するための手段】
【０００７】
第１の態様に係るサッシ枠の設置構造は、建物の外壁部に形成された開口部の下端部に沿って延在するサッシ土台と、前記サッシ土台の上に一端が載置された床下地材と、前記床下地材よりも屋外側に配置されると共に前記開口部の下端部に沿って長尺に延在するサッシ枠本体部と、該サッシ枠本体部の側面から屋内側に延出され、前記床下地材の前記一端よりも屋外側において前記サッシ土台の上に固定されたサッシ枠延長固定部と、を含むサッシ枠と、前記サッシ枠延長固定部の建物上方側で前記サッシ枠本体部の側面から屋内側に延在した見切り部を含む見切り材と、前記床下地材の上に載置され、外端部が前記床下地材の前記一端よりも屋外側に突出すると共に前記見切り部の建物下方側に配置された床材と、を備えている。
【０００８】
第１の態様に係るサッシ枠の設置構造では、建物の外壁部に形成された開口部の下端部に沿ってサッシ土台が延在しており、このサッシ土台の上にサッシ枠のサッシ枠延長固定部と床下地材の一端が載置されている。更に、この床下地材の上には、床材が載置されている。また、サッシ枠延長固定部の建物上方側にはサッシ枠本体部の側面から屋内側に延在する見切り部を含む見切り材が配置される。これにより、見切り材の見切り部によってサッシ枠本体部の側面と床材の外端部との間の隙間が覆われている。
【０００９】
ここで、本発明では、床材の外端部が床下地材の一端よりも屋外側に突出した状態で、見切り部の建物下方側に配置されている。すなわち、サッシ枠のサッシ枠延長固定部や床下地材の一端を建物上方側から覆うように床材は配置可能とされている。このため、例えば、床下地材の一端と床材の外端部の端面を面一に形成する場合や、床材の外端部を床材の一端よりも屋内側に配置して段部を形成する場合と比べて、サッシ枠本体部と床材の間に生じる隙間が小さくなる。その結果、この隙間を覆う見切り材の大型化が抑制される。
【００１０】
第２の態様に係るサッシ枠の設置構造は、第１の態様に記載の構成において、前記見切り材は、前記見切り部と、前記見切り部の屋外側端部から建物下方側に延出され、前記サッシ枠本体部の前記側面に固定された固定部と、該固定部の下端部から屋内側に延出され、前記床材の前記外端部を下方側から支持する支持部と、を備え、縦断面視で屋内側に開口された開口断面を有している。
【００１１】
第２の態様に係るサッシ枠の設置構造では、見切り材が、見切り部の屋外側端部に一体に形成された固定部によってサッシ枠本体部に固定されている。これにより、別部材を介して見切り材をサッシ枠本体部に固定する構成と比べて、部材の点数を抑えられる。また、見切り材は、見切り部、固定部、支持部によって形成される開口断面の内側に床材の外端部を挿入することにより、支持部によって床材の外端部を建物下方側から支持することができる。これにより、床材に対して建物上方側から入力される荷重によって、床材の外端部が変形されることを抑制することができる。
【００１２】
第３の態様に係るサッシ枠の設置構造は、第２の態様に記載の構成において、前記見切り材は、前記支持部の下面から建物下方側に延出され、前記サッシ土台又は前記サッシ枠延長固定部に支持された位置決め部を含んで構成されている。
【００１３】
第３の態様に係るサッシ枠の設置構造では、見切り材の支持部の下面に、建物下方側に延出された位置決め部が設けられ、見切り材の建物下方側に配置されたサッシ土台又はサッシ枠延長固定部に支持されている。これにより、位置決め部によって、サッシ土台又はサッシ枠本体部に対する見切り材の建物高さ方向の位置決めを行うことができる。その結果、見切り材を、サッシ枠の所定の位置に容易に固定することができるため、工期の短縮及び組付け精度の向上を図ることができる。
【００１４】
第４の態様に係るサッシ枠の設置構造は、第１の態様に記載の構成において、前記見切り材は、前記サッシ土台の上面に固定された前記見切り部を備える上側部材と、前記サッシ枠本体部の前記側面に固定された固定部と、前記固定部に一体に形成され、前記固定部の下端部から屋内側に延出されると共に前記床材の外端部を建物下方側から支持する支持部と、を備える下側部材と、によって構成されている。
【００１５】
第４の態様に係るサッシ枠の設置構造では、見切り材が上側部材と下側部材に分割されており、見切り部を備える上側部材が床材の上面に固定され、支持部を備える下側部材が固定部を介してサッシ枠本体部に固定されている。このため、サッシ枠本体部に下側部材を固定し、支持部の上方側に床材の外端部を載置した後、サッシ枠と床材との隙間を覆うように見切り部を配置して、上側部材を床材の上面に固定することができる。このため、製品の個体差によって床材の厚みにバラつきが生じる場合でも、見切り部を床材の上面に当接させて固定することができるため、見切り部と床材との間に生じる段差を低減させることができる。また、厚みや材料が異なる多種類の床材に対して共通の見切り材を適用することができるため、汎用性に優れた設置構造とすることができる。
【発明の効果】
【００１６】
以上説明したように、第１の態様に係るサッシ枠の設置構造によれば、見切り材の大型化を抑制し、屋内側の意匠性を向上させることができるという優れた効果を有する。
【００１７】
第２の態様に係るサッシ枠の設置構造によれば、部品点数の増加を抑えると共に、床材の外端部の変形を抑制することができるという優れた効果を有する。
【００１８】
第３の態様に係るサッシ枠の設置構造によれば、工期を短縮させると共に組付け精度の向上を図ることができるという優れた効果を有する。
【００１９】
第４の態様に係るサッシ枠の設置構造によれば、屋内側の意匠性をより一層向上させると共に、汎用性に優れた設置構造にすることができるという優れた効果を有する。
【図面の簡単な説明】
【００２０】
【図１】第１実施形態に係るサッシ枠の設置構造が適用された建物を示す斜視図である。
【図２】図１の２−２線に沿って切断した状態を示す部分拡大断面図である。
【図３】第１実施形態に係るサッシ枠の設置構造の変形例を示す図２に対応する部分拡大断面図である。
【図４】第１実施形態に係るサッシ枠の設置構造の変形例を示す図２に対応する部分拡大断面図である。
【図５】第１実施形態に係るサッシ枠の設置構造の変形例を示す図２に対応する部分拡大断面図である。
【図６】第２実施形態に係るサッシ枠の設置構造を示す、図２に対応する部分拡大断面図である。
【発明を実施するための形態】
【００２１】
〔第１実施形態〕
以下、図１〜図２を用いて、第１実施形態に係るサッシ枠の設置構造が適用された建物１０について説明する。図１は、建物１０の外観を示す斜視図である。また、図２には、建物１０の外壁部１２に形成された開口部１４の下端部の一部が断面図で示されている。
【００２２】
これらの図に示されるように、建物１０の一階部分１０Ａには、外壁部１２に、正面視で略矩形状をなす開口部１４が設けられている。また、開口部１４には、掃出し窓１６が取り付けられている。掃出し窓１６は、下端部が建物１０の屋内の床部１８に接しており、屋内側に配置された内障子２０と、屋外側に配置された外障子２２と、内障子２０及び外障子２２を開閉可能に支持するサッシ枠３０と、を有している。
【００２３】
なお、建物１０の床部１８は、一例として、建物１０の躯体を構成する複数の床梁（不図示）と、床梁間に架け渡された床小梁（不図示）と、を含む床フレーム（不図示）の上に形成されている。床フレームの建物上方側には、床小梁に沿って複数の根太２４が配置されている。また、根太２４の上方側にパネル状の床下地材２６が敷設され、床下地材２６の上方側には、床部１８の意匠面を構成する床材２８が敷設されている。
【００２４】
上記構成の床部１８は、予め生産工場で床フレームと根太２４、床下地材２６の組み付けを行い、床パネル（符号省略）を形成する。そして、当該床パネルを建築地に搬送し、床下地材２６の上に床材２８を敷設することにより、床部１８の施工が完了する構成となっている。
【００２５】
（サッシ枠３０の構造）
図１に示されるように、サッシ枠３０は、建物高さ方向に延在し、所定の間隔を空けて平行に配置された一対の縦枠３２と、一対の縦枠３２の上端部を連結する上枠３４と、一対の縦枠３２の下端部を連結する下枠３６と、によって正面視で矩形枠状に形成されている。このサッシ枠３０は、外壁部１２の開口部１４に配置され、建物１０の躯体を構成する図示しない梁や柱に固定された矩形枠状の開口フレーム（不図示）に支持されている。
【００２６】
上枠３４には、図示しないレール部が形成されており、当該レール部に内障子２０及び外障子２２の上端部が嵌合されると共に、内障子２０及び外障子２２を開閉可能に支持している。
【００２７】
下枠３６は、上枠３４の建物下方側において、上枠３４と平行に配置されると共に、外壁部１２に形成された開口部１４の下端部に沿って長尺に形成されている。下枠３６は、図示しない開口フレームの下端部に固定されたサッシ枠本体部３８と、サッシ枠本体部３８に一体形成され、建物１０の床部１８を構成する根太２４に固定されたサッシ枠延長固定部４０とを含んで構成されている。
【００２８】
図２に一部が示されるように、サッシ枠本体部３８は、閉断面を有して形成されており、サッシ枠本体部３８の屋内側の側面を構成し、建物高さ方向に延在する縦側面部３８Ａと、縦側面部３８Ａの上部から屋外側に略水平に延在する上面部３８Ｂと、を含んで構成されている。上面部３８Ｂの上面からは、建物上方側に立設する一対のレール部３８Ｃが形成されている。一対のレール部３８Ｃには、内障子２０及び外障子２２の下端部がそれぞれ嵌合され、内障子２０及び外障子２２が開閉可能に（摺動可能に）支持されている。なお、縦側面部３８Ａが、本発明における「サッシ枠本体部の側面」に相当する。
【００２９】
縦側面部３８Ａの下部には、サッシ枠延長固定部４０が一体形成されている。サッシ枠延長固定部４０は、縦側面部３８Ａの下部から屋内側に略水平に延出された平面部４０Ａと、平面部４０Ａの屋内側の端部から建物下方側に延出された脚部４０Ｂと、を有している。このサッシ枠延長固定部４０は、開口部１４の下端部に沿って配置された床部１８の根太２４に屋外側から取り付けられている。具体的には、脚部４０Ｂを根太２４の上面２４Ａに載置した状態で、平面部４０Ａに建物上方側からビス４２が打ち込まれることにより固定されている。なお、根太２４が、本発明における「サッシ土台」に相当する。
【００３０】
図２に示されるように、根太２４の上には、サッシ枠延長固定部４０の屋内側において、床下地材２６の屋外側端部２６Ａ（一端）が載置されている。なお、図示はしないが、サッシ枠本体部３８の下部にはフレーム固定部が設けられ、建物１０の屋外側から、図示しない開口フレームの下端部に固定されている。
【００３１】
（本発明の要部）
サッシ枠本体部３８の縦側面部３８Ａの上部には、屋内側の側面に見切り材４４が固定されている。見切り材４４は、サッシ枠本体部３８の延在方向に沿って長尺に形成され、縦断面視で屋内側に開口した開口断面を有している。具体的には、縦側面部３８Ａから屋内側へ略水平に延在された見切り部４６と、見切り部４６の屋外側の端部から建物下方側へ延出した固定部４８と、固定部４８の下端部から屋内側へ略水平に延出した支持部５０と、によって略コの字形状の断面を有している。そして、固定部４８に屋内側からビス５２が打ち込まれることにより、見切り材４４が、サッシ枠本体部３８の縦側面部３８Ａに固定されている。また、この見切り材４４は、上述した床下地材２６の建物上方側かつ屋外側において、支持部５０の上面が床下地材２６の上面と略面一になるように配置されている。
【００３２】
ここで、図２に示されるように、床下地材２６の上に載置された床材２８は、サッシ枠本体部３８（開口部１４）に沿って配置された外端部２８Ａが、床下地材２６の屋外側端部２６Ａよりも屋外側に突出している。そして、床材２８の外端部２８Ａが見切り材４４の内側に挿入されている。なお、見切り材４４と床材２８の上面との段差を低減させる観点から、見切り部４６と支持部５０の間の建物高さ方向の間隔は、床材２８の板厚寸法と略同一であることが好ましい。
【００３３】
この状態では、サッシ枠本体部３８と床材２８の外端部２８Ａの隙間Ｇ１が、見切り材４４の見切り部４６によって建物上方側から覆われている。更に、見切り材４４の支持部５０によって床材２８の外端部２８Ａが建物下方側から支持されている。
【００３４】
上記構成の見切り材４４は、サッシ枠３０に固定されない状態で建築地に搬入される。建築地では、根太２４と床下地材２６が組み付けられた床パネルが設置された後、根太２４にサッシ枠３０を固定する。その後、サッシ枠本体部３８の縦側面部３８Ａに見切り材４４を固定し、床下地材２６の上に床材２８を敷設すると共に、床材２８の外端部２８Ａが見切り材の内側に配置される。これにより、サッシ枠３０及び床部１８の施工が完了する。
【００３５】
（作用・効果）
次に、第１実施形態の作用並びに効果について説明する。
【００３６】
図２に示されるように、建物１０の外壁部１２に形成された開口部１４の下端部に沿って根太２４が延在しており、この根太２４の上にサッシ枠３０のサッシ枠延長固定部４０と床下地材２６の屋外側端部２６Ａが載置されている。更に、この床下地材２６の上には、床材２８が載置されている。また、サッシ枠本体部３８の縦側面部３８Ａに見切り材４４が固定され、見切り部４６によってサッシ枠本体部３８と床材２８の外端部２８Ａとの間の隙間Ｇ１が覆われている。これにより、建物１０の屋内空間において、掃出し窓１６の下端部と床部１８との間に生じる隙間Ｇ１が視認されない。
【００３７】
ここで、本実施形態では、床材２８の外端部２８Ａが床下地材２６の屋外側端部２６Ａよりも屋外側に突出した状態で、見切り部４６の建物下方側に配置されている。すなわち、サッシ枠３０のサッシ枠延長固定部４０や床下地材２６の一端を建物上方側から覆うように床材２８は配置可能とされている。このため、例えば、床下地材の屋外側端部と床材の外端部の端面を面一に形成する場合や、床材の外端部を床材の一端よりも屋内側に配置して段部を形成する場合と比べて、サッシ枠本体部３８と床材２８の間に生じる隙間Ｇ１が小さくなる。その結果、この隙間Ｇ１を覆う見切り材の大型化が抑制されるため、建物１０の屋内空間の意匠性をより一層向上させることができる。
【００３８】
また、本実施形態では、見切り材４４が、一体形成された見切り部４６と固定部４８を備え、固定部４８がサッシ枠本体部３８に固定されている。これにより、別部材を介して見切り材４４をサッシ枠本体部３８に固定する構成と比べて、部材の点数を抑えることができる。その結果、材料コストの低減に加え、工期短縮による施工コストの低減を図ることができる。また、床材２８の外端部２８Ａは、見切り材４４の見切り部４６、固定部４８、支持部５０によって形成される開口断面の内側に挿入されており、支持部５０によって床材２８の外端部２８Ａが建物下方側から支持されている。これにより、床材２８の外端部２８Ａに建物上方側から荷重が入力された場合に、床材２８の外端部２８Ａが変形されることを抑制することができる。
【００３９】
更に、本実施形態では、床材２８の上面によって見切り材４４の見切り部４６が建物下方側から支持されている。これにより、見切り材の支持剛性が高められている。その結果、見切り部４６に建物上方側からの荷重が入力された場合でも、床材２８の外端部２８Ａに下方側から支持されることにより、見切り材４４の変形を抑制することができる。
【００４０】
また、本実施形態では、見切り材４４が、サッシ枠本体部３８の縦側面部３８Ａに沿って配置された固定部４８を介してサッシ枠３０に固定されている。このため、建物１０の屋内空間の意匠面に見切り材４４を固定するビス５２が露出しないため、意匠性に優れる。
【００４１】
（変形例１）
次に、図３を用いて、第１実施形態の見切り材４４の変形例１について説明する。図３には、変形例１としての見切り材６０が適用されたサッシ枠３０の設置構造が部分拡大断面図にて示されている。この図に示されるように、見切り材６０は、基本的には第１実施形態の見切り材４４と同一の構成であるが、支持部５０の下面に位置決め部６２が形成されている点で異なる。
【００４２】
位置決め部６２は、支持部５０の下面の屋内側の端部から建物下方側に延出されている。また、この位置決め部６２の下端部は、サッシ枠本体部３８のサッシ枠延長固定部４０と床下地材２６の間に挿入され、根太２４に下方側から支持されている。
【００４３】
上記構成の見切り材６０では、位置決め部６２によってサッシ枠３０に対する見切り材６０の建物高さ方向の位置が固定される。これにより、見切り材６０を、サッシ枠３０の所定の位置に容易に固定することができるため、工期の短縮及び組付け精度の向上を図ることができる。
【００４４】
（変形例２）
また、上記発明の効果は、図４に示される変形例２に係る見切り材７０によって実現することができる。見切り材７０では、支持部５０の下面の屋外側の端部に、建物下方側に延出された位置決め部７２が形成されている。この位置決め部７２は、下端部がサッシ枠３０のサッシ枠延長固定部４０の平面部４０Ａに当接している。これにより、見切り材７０が、サッシ枠延長固定部４０に建物下方側から支持されて、サッシ枠３０に対する見切り材７０の建物高さ方向の位置が固定される。
【００４５】
（変形例３）
次に、図５を用いて、第１実施形態の見切り材４４の変形例３について説明する。図５には、変形例３としての見切り材８０が適用されたサッシ枠３０の設置構造が部分拡大断面図にて示されている。この図に示されるように、見切り材８０は、見切り部８２、固定部８４、支持部８６を備える点で第１実施形態に係る見切り材４４と同様の構成である。しかし、サッシ枠３０と床材２８との隙間Ｇ１を覆う見切り部８２の板厚Ｔ１が、床材２８を建物下方側から支持する支持部８６の板厚Ｔ２よりも薄くなるように設定されている点において異なる。
【００４６】
上記構成によれば、見切り部８２の板厚を薄くすることにより、見切り材８０と床材２８の間の段差をより一層低減させて、意匠面に過度な凹凸が発生することを抑制することができる。これにより、建物１０の屋内空間における開口部１４の意匠性を一層向上させることができる。一方、支持部８６の板厚が充分に確保されることにより、床材２８の外端部２８Ａの支持剛性を高めて、開口部１４近傍の床材２８の歪や見切り材８０の見切り部８２の変形をより一層抑制することができる。また、このように、見切り部８２と支持部８６の機能に対応して板厚を最適化し、ひいては、見切り材８０の軽量化を図ることができる。
【００４７】
なお、支持部の板厚を増加させなくとも、支持部にリブを設けて支持部の強度を高めることにより、支持部による床材２８の外端部２８Ａの支持剛性を高める構成としてもよい。
【００４８】
（変形例４）
更に、図示はしないが、本実施形態では、第１実施形態の見切り材４４の支持部５０の上面にスペーサ部材を配置した変形例４を適用してもよい。スペーサ部材は、弾性体で構成され、一例として、ウレタンやポリエチレン製のスポンジ体で形成可能とされている。当該構成によれば、支持部５０の上面にスペーサ部材が配置されるため、見切り部４６と支持部５０の間に床材２８の外端部２８Ａを挿入した際に、スペーサ部材によって床材２８が見切り部４６側に持ち上げられる。これにより、見切り部４６の下方側で床材２８との間に不要な隙間が発生しにくくなり、見切り部４６と床材２８の上面の意匠面との間に生じる段差を低減させることができる。その結果、サッシ枠３０の屋内側の意匠性をより一層向上させることができる。
【００４９】
更に、スペーサ部材は弾性体で形成されているため、製品の個体差による床材２８の板厚のバラつきや、床材の種類の違いによる板厚の違いを吸収しつつ、見切り部４６の下方側で床材２８との間に不要な隙間が発生するのを抑制することができる。このため、見切り材４４の汎用性を高めることができる。
【００５０】
〔第２実施形態〕
以下、図６を用いて、本発明の第２実施形態について説明する。なお、前述した第１実施形態と同一構成部分については、同一番号を付してその説明を省略する。  
【００５１】
本実施形態では、サッシ枠３０に固定された見切り材９０が、複数の要素、即ち、上側部材９２と下側部材９４に分割されている点を特徴とする。詳細には、上側部材９２は、第１実施形態で説明した見切り部４６に相当する部分として構成されている。また、下側部材９４は、第１実施形態で説明した固定部４８と支持部５０に相当する部分として構成されている。
【００５２】
上側部材９２は、サッシ枠３０に沿って長尺に延在する板体とされており、見切り部９２Ａを備えている。この上側部材９２は、床材２８の上面に複数のビス９３を用いて固定されている。
【００５３】
下側部材９４は、サッシ枠３０に沿って長尺に延在すると共に、縦断面視でＬ字状に形成されている。具体的には、サッシ枠本体部３８の縦側面部３８Ａの屋内側に配置され、建物高さ方向に延在する固定部９４Ａと、固定部９４Ａの下端部から屋内側に延出された支持部９４Ｂとを備えている。下側部材９４は、固定部９４Ａの屋内側に打ち込まれたビス５２によって縦側面部３８Ａに固定されている。
【００５４】
見切り材９０は、建築地でサッシ枠本体部３８に下側部材９４を固定した後、支持部９４Ｂの上に床材２８の外端部２８Ａを載置する。その後、床材２８の外端部２８Ａの上面に上側部材９２を固定することによりサッシ枠３０及び床部１８の施工が完了する。
【００５５】
（作用・効果）
上記構成の見切り材９０は、基本的には第１実施形態に係る見切り材４４の構成を踏襲しているため、同様の作用及び効果を得ることができる。
【００５６】
また、上記構成によれば、図６に示すように、固定部９４Ａの上端部と見切り部９２Ａの下面との間に間隙Ｇ２を形成すると、製品の個体差によって床材２８の厚みにバラつきが生じる場合でも、間隙Ｇ２によってこのようなバラつきを吸収し、見切り部９２Ａを床材２８の上面に当接させて固定することができる。これにより、上側部材９２（見切り部９２Ａ）の下方側において、上側部材９２と床材２８の間に隙間が生ずることを防止し、床材２８の上面と上側部材９２との段差を低減させることができる。また、厚みや材料が異なる多種類の床材に対して共通の見切り材９０を適用することができるため、汎用性に優れた設置構造とすることができる。
【００５７】
[補足説明]
上記各実施形態では、建物１０の一階部分１０Ａに形成された掃出し窓１６用の開口部１４に本発明のサッシ枠の設置構造を適用したが、本発明はこれに限らない。建物の上階部分に形成されるバルコニー用の開口部に適用してもよい。
【００５８】
また、第１実施形態に係る見切り材４４は、略コの字状の断面に形成される構成としたが、本発明はこれに限らず、見切り材４４の支持部５０を省略して、断面略Ｌ字状に形成してもよい。
【００５９】
また、上記各実施形態では、根太２４をサッシ土台としたが、本発明はこれに限らず、床大梁や床小梁、大引き等をサッシ土台として構成してもよい。
【符号の説明】
【００６０】
１０    建物
１２    外壁部
１４    開口部
２４    根太（サッシ土台）
２４Ａ  上面
２６    床下地材
２６Ａ  屋外側端部（一端）
２８    床材
２８Ａ  外端部
３０    サッシ枠
３８    サッシ枠本体部
３８Ａ  縦側面部（サッシ枠本体部の側面）
４０    サッシ枠延長固定部
４４    見切り材
４６    見切り部
４８    固定部
５０    支持部
６０    見切り材
６２    位置決め部
７０    見切り材
７２    位置決め部
８０    見切り材
８２    見切り部
８４    固定部
８６    支持部
９０    見切り材
９２    上側部材
９２Ａ    見切り部
９４    下側部材
９４Ａ  固定部
９４Ｂ  支持部
【図１】
2020169499.tif 000003
【図２】
2020169499.tif 000004
【図３】
2020169499.tif 000005
【図４】
2020169499.tif 000006
【図５】
2020169499.tif 000007
【図６】
2020169499.tif 000008